【手続補正書】
【提出日】平成16年6月3日(2004.6.3)
【手続補正１】
【補正対象書類名】明細書
【補正対象項目名】全文
【補正方法】変更
【補正の内容】
【書類名】  明細書
【発明の名称】  ヒートポンプ式浴槽水利用システム
【特許請求の範囲】
【請求項１】  圧縮機を有し、熱回収熱交換器を接続したヒートポンプ回路と、前記ヒートポンプ回路の熱を吸収して貯湯タンクに湯を貯湯するようにした給湯回路と、前記熱回収熱交換器と熱交換関係を有する風呂熱交換器を有し浴槽に接続される風呂回路と、浴槽残湯水を前記風呂熱交換器出口から外部の端末機器へ排水する出水流路と前記浴槽へ戻す帰還流路とを切換える流路切換え手段と、前記端末機器で浴槽残湯水を再利用する運転手段と、前記運転手段の信号を検出して前記流路切換え手段を出水流路側にして前記圧縮機の運転を開始する運転制御手段を有するヒートポンプ式浴槽水利用システム。
【請求項２】  風呂熱交換器出口と浴槽間の水温を検出する温度検出手段と、端末機器で浴槽残湯水を再利用する水温を設定する温度設定手段とを備え、前記運転制御手段は、前記運転手段の信号を検出して圧縮機の運転を開始するとともに前記温度検出手段の検出温度が前記温度設定手段の設定温度まで低下した時に流路切換え手段を帰還流路側から出水流路側に切換える請求項１記載のヒートポンプ式浴槽水利用システム。
【請求項３】  風呂回路の浴槽流出口と前記流路切換え手段間に設けた風呂ポンプを備え、前記運転制御手段は、前記運転手段の信号を検出して前記流路切換え手段を出水流路側にして圧縮機の運転を開始し、かつ、前記温度検出手段が前記温度設定手段と一致するように風呂ポンプの流量を制御する請求項２記載のヒートポンプ式浴槽水利用システム。
【請求項４】  出水流路を流れる積算水量を設定する水量設定手段と、運転手段の信号を検出して前記出水流路を流れる水量を積算する水量積算手段と、を備え、前記運転制御手段は、前記運転手段の信号を検出して前記流路切換え手段を前記出水流路側に切換え、その後、前記水量積算手段の積算水量が前記水量設定手段で設定された水量に達した時に前記流路切換え手段を前記出水流路側から帰還流路側へ切換える請求項１記載のヒートポンプ式浴槽水利用システム。
【請求項５】  浴槽流出口と流路切換え手段間の風呂回路に浴槽残湯水を浄化する水浄化手段を設けた請求項１乃至請求項４の何れか１項に記載のヒートポンプ式浴槽水利用システム。
【発明の詳細な説明】
【０００１】
【発明の属する技術分野】
本発明は浴槽残湯水を再利用するヒートポンプ式浴槽水利用システムに関するものである。
【０００２】
【従来の技術】
従来、この種のヒートポンプによる浴槽システムは特開平７−７１８３９号公報に示すものがある。以下、従来の技術について図面に基づき説明する。図６は従来のヒートポンプによる浴槽システムの構成図である。図６において、浴槽廃熱利用給湯運転時は、開閉弁５６ａと５６ｄを開放して、廃熱利用熱交換器４を介して浴槽の湯を集熱し、凝縮器２で加熱して貯湯する。
【０００３】
【発明が解決しようとする課題】
しかしながら、従来のヒートポンプシステムでは、風呂入浴後に洗濯などに浴槽水をすぐに利用する際に、浴槽廃熱利用の給湯運転をおこなうため、浴槽残湯熱の回収終了まで浴槽水を再利用できない。また、すぐに利用する際には、高温残湯水を再利用することになるため、省エネルギーの観点から好ましくない。
【０００４】
本発明は上記課題を解決するものであり、浴槽の残湯熱を回収しながら残湯水を短時間で再利用できる省エネルギーと節水を実現する浴槽水利用システムを提供するものである。
【０００５】
【課題を解決するための手段】
前記課題を解決するため、本発明は、圧縮機を有し、熱回収熱交換器を接続したヒートポンプ回路と、前記ヒートポンプ回路の熱を吸収して貯湯タンクに湯を貯湯するようにした給湯回路と、前記熱回収熱交換器と熱交換関係を有する風呂熱交換器を有し浴槽に接続される風呂回路と、浴槽残湯水を前記風呂熱交換器出口から外部の端末機器へ排水する出水流路と前記浴槽へ戻す帰還流路とを切換える流路切換え手段と、前記端末機器で浴槽残湯水を再利用する運転手段と、前記運転手段の信号を検出して前記流路切換え手段を出水流路側にして前記圧縮機の運転を開始する運転制御手段を有するヒートポンプ式浴槽水利用システムであって、以上の構成により、家族の入浴終了後あるいは翌朝に浴槽残湯水を利用して洗濯機などに注水して再利用する場合に、端末機器で浴槽残湯水を再利用する運転手段に基づき流路切換え手段を出水流路側に切換え、圧縮機の運転を開始する。そして、浴槽から送られてきた残湯水の熱を熱回収熱交換器を流れる冷媒で集熱する。そして、冷媒を圧縮機で高温高圧にして凝縮器で冷媒の凝縮熱を放熱して給湯熱交換器を介して水を加熱し、加熱された水を貯湯タンク内に貯湯する。また、風呂熱交換器で集熱されて温度低下した残湯水を流路切換え手段の出水流路から端末機器へ送水する。従って、浴槽残湯熱を回収して貯湯タンクの水を加熱する一方で、吸熱された低温の残湯水を端末機器へ送水して残湯水を再利用するため、省エネ節水が実現できる。
【０００６】
【発明の実施の形態】
本発明は各請求項記載の形態で実施できるもので、圧縮機を有し、熱回収熱交換器を接続したヒートポンプ回路と、前記ヒートポンプ回路の熱を吸収して貯湯タンクに湯を貯湯するようにした給湯回路と、前記熱回収熱交換器と熱交換関係を有する風呂熱交換器を有し浴槽に接続される風呂回路と、浴槽残湯水を前記風呂熱交換器出口から外部の端末機器へ排水する出水流路と前記浴槽へ戻す帰還流路とを切換える流路切換え手段と、前記端末機器で浴槽残湯水を再利用する運転手段と、前記運転手段の信号を検出して前記流路切換え手段を出水流路側にして前記圧縮機の運転を開始する運転制御手段を備えるようにして実施できる。
【０００７】
そして、本実施の形態によれば、家族の入浴終了後あるいは翌朝に浴槽残湯水を利用して洗濯機などに注水して再利用する場合に、端末機器で浴槽残湯水を再利用する運転手段に基づき流路切換え手段を出水流路側に切換え、圧縮機の運転を開始して、浴槽から送られてきた残湯水の熱を熱回収熱交換器で集熱して、給湯熱交換器を介して貯湯タンクの水を加熱し、貯湯する。また、風呂熱交換器で集熱されて温度低下した残湯水を流路切換え手段の出水流路から端末機器へ送水する。従って、浴槽残湯熱を回収して貯湯タンクの水を加熱する一方で、吸熱された低温の残湯水を端末機器へ送水して残湯水を再利用するため、省エネ節水が実現できる。
【０００８】
また、前述の構成に加え、風呂熱交換器出口と浴槽間の水温を検出する温度検出手段と、端末機器で浴槽残湯水を再利用する水温を設定する温度設定手段と、運転手段の信号を検出して圧縮機の運転を開始し、温度検出手段の検出温度が温度設定手段の設定温度まで低下した時に流路切換え手段を帰還流路側から出水流路側に切換える運転制御手段を備え、家族の入浴終了後に浴槽残湯水を洗濯機などに注水して再利用する場合に、残湯湯温が再利用する水温より高温の場合には、残湯水の熱を吸熱してヒートポンプ回路による運転で貯湯タンクに湯をつくって省エネ化をはかり、運転経過とともに残湯水温が低下して再利用したい温度に達した場合に流路切換え手段を出水流路側に切換えて端末機器へ送水する。従って、再利用する温度に応じて高温の残湯水から低温の残湯水まで注水できるとともに、浴槽残湯熱を熱回収して貯湯タンクに湯をつくることができるためエネルギー利用の高効率化が実現できる。
【０００９】
また、前述の構成に加え、風呂回路の浴槽流出口と流路切換え手段間に設けた風呂ポンプと、運転手段の信号を検出して流路切換え手段を出水流路側にして圧縮機の運転を開始し、また、温度検出手段が温度設定手段と一致するように風呂ポンプの流量を制御する運転制御手段を備え、浴槽残湯水を洗濯、トイレ、洗車などに注水して再利用する場合に、風呂熱交換器出口から端末機器へ送水する湯温を設定温度と一致するように風呂ポンプの流量を制御して、設定温度と同温度の浴槽残湯水を流路切換え手段から端末機器へ送水する。従って、風呂熱交換器出口から端末機器１６へ送水する湯温が設定温度と一致するため利便性が向上する。また、風呂ポンプを備えているため、端末機器を離れた場所で利用することができる。
【００１０】
また、前述の構成に加え、出水流路を流れる積算水量を設定する水量設定手段と、運転手段の信号を検出して出水流路を流れる水量を積算する水量積算手段と、運転手段の信号を検出して流路切換え手段を出水流路側に切換え、その後、水量積算手段の積算水量が水量設定手段で設定された水量に達した時に流路切換え手段を出水流路側から帰還流路側へ切換える運転制御手段を備え、浴槽残湯水を洗濯、洗車などに再利用する場合に、出水流路を流れる積算水量が端末機器で必要とされる設定された積算水量に達した時に、流路切換え手段を帰還流路側に切り換えて風呂熱交換器から流出した残湯水を浴槽に戻す。従って、再利用したい設定水量を自動で浴槽から取り出して再利用することができる。
【００１１】
また、前述の構成に加え、浴槽流出口と流路切換え手段間の風呂回路に浴槽残湯水を浄化する水浄化手段を備え、浴槽から流出した残湯水を水浄化手段に流入させて、残湯水の浮遊物などを除去して流路切換え手段を通って端末機器へ送水する。従って、残湯水を浄化するため、洗濯のすすぎ、トイレの洗浄水など、用途と利便性が向上する。また、水浄化手段を浴槽の流出口から風呂熱交換器の流入口の風呂回路に設ける場合には、上記効果に加え、浴槽の残湯水に髪の毛などの浮遊物が含まれている場合でも、風呂熱交換器に流入しないため、風呂熱交換器の流体流路が目詰まりをしたりすることもなく、また熱交換効率が確保されて信頼性が向上する。
【００１２】
【実施例】
以下、本発明の実施例について図面を用いて説明する。なお、従来例および各実施例において、同じ構成、同じ動作をするものについては同一符号を付し、一部説明を省略する。
【００１３】
（実施例１）
図１は本発明の実施例１のヒートポンプ式風呂給湯システムの構成図である。
【００１４】
図１において、１は圧縮機、２は凝縮器、３は減圧手段、４は熱回収熱交換器、５はヒートポンプ回路であり、圧縮機１、凝縮器２、減圧手段３、熱回収熱交換器４を順次接続した密閉回路で構成されている。６は給湯熱交換器であり、凝縮器２と熱交換関係を有して、冷媒の凝縮作用をおこなう。７は貯湯タンクであり、給湯熱交換器６で加熱された湯を貯湯する。８は給湯回路であり、給湯熱交換器６、貯湯タンク７が接続されている。９は給湯ポンプであり、給湯回路８に設けられていて、給湯回路８の水を循環させ、給湯熱交換器６と貯湯タンク７が長配管で接続される場合に効果がある。１０は風呂熱交換器であり、熱回収熱交換器４と熱交換関係を有する。１１は浴槽、１２は風呂回路であり、風呂熱交換器１０、浴槽１１を接続して構成されている。１３は流路切換え手段であり、風呂熱交換器１０出口と浴槽１１間の風呂回路に設けて、風呂熱交換器１０出口から排水する水が流れる出水流路１４と浴槽１１へ戻る帰還流路１５を切換える。１６は洗濯機などの端末機器であり、出水流路１５と接続して洗濯などに風呂水を再利用する。１７は運転手段であり、端末機器１６で浴槽残湯水を再利用する運転スイッチである。１８は運転制御手段であり、運転手段１７の信号を検出して流路切換え手段１３を出水流路１４側にして圧縮機１の運転を開始する。
【００１５】
以上の構成において、その動作、作用について説明する。
【００１６】
家族の入浴終了後あるいは翌朝に浴槽残湯水を利用して洗濯機などに注水して再利用する場合に、端末機器１６で浴槽残湯水を利用する運転手段１７の信号を検出して再利用運転手段１８が流路切換え手段１３を出水流路側１４に切換え、圧縮機１の運転を開始する。そして、風呂熱交換器１０を介して浴槽１１から流出した残湯水をヒートポンプ回路５で吸熱し、凝縮熱で水を加熱し、貯湯タンク７に貯湯する。一方、風呂熱交換器１０で集熱されて温度低下した残湯水は流路切換え手段１３から出水流路１４を通り端末機器１６に注水される。従って、浴槽残湯熱を回収しながら残湯水を再利用することができるため、省エネ節水が実現できる。
【００１７】
また、風呂回路へ流出する浴槽流出口から流路切換え手段１３間に風呂ポンプ１９を設けても同様の効果が得られるので以下の説明では省略する。また、風呂ポンプ１９を設けることによって、浴槽１１、風呂熱交換器１０、端末機器１６を長配管で接続できる効果がある。
【００１８】
（実施例２）
図２は本発明の実施例２のヒートポンプ式風呂給湯システムの構成図である。図２において、２０は温度検出手段であり、風呂熱交換器１０の出口と浴槽１１間の水温を検出する。２１は温度設定手段であり、端末機器１６で浴槽水を再利用する水温を設定する。２２は運転制御手段であり、運転手段１７の信号を検出して圧縮機１の運転を開始するとともに温度検出手段２０の検出温度が温度設定手段２１の設定温度まで低下した時に流路切換え手段１３を帰還流路１５側から出水流路１４側に切換える。
【００１９】
以上の構成において、その動作、作用について説明する。家族の入浴終了後に浴槽残湯水を洗濯機などに注水して再利用する場合に、端末機器１６の運転信号を検出して圧縮機１によるヒートポンプ運転を開始する。そして、風呂熱交換器１０出口から流出する残湯湯温が端末機器１６で再利用したい水温よりも高温の場合には、ヒートポンプ回路５による浴槽残湯水から集熱して給湯回路８の水を加熱して貯湯する貯湯運転を継続し、運転経過とともに残湯水温が低下して風呂熱交換器１０出口から流出する残湯水が再利用したい温度に達した場合に流路切換え手段１３を出水流路１４側に切換えて端末機器１６へ送水する。従って、再利用する温度、例えば汚れが多い初期洗濯には比較的高温湯を注水し、その後、すすぎ段階では市水温度レベルまで熱回収した水温で注水することができるなど再利用したい温度に対応して注水できるとともに、浴槽１１残湯熱を有効に熱回収して貯湯タンク７に湯をつくることができるため効率よくエネルギー利用できる。
【００２０】
（実施例３）
図３は本発明の実施例３のヒートポンプ式風呂給湯システムの構成図である。
【００２１】
図３において、２３は風呂ポンプであり、風呂回路１２の浴槽１１流出口と流路切換え手段１３間に設ける。２４は運転制御手段であり、運転手段１７の信号を検出して流路切換え手段１３を出水流路１４側にして圧縮機１の運転を開始しまた、温度検出手段２０が温度設定手段２１と一致するように風呂ポンプ２８の流量を制御する。
【００２２】
以上の構成において、その動作、作用について説明する。
【００２３】
浴槽残湯水を洗濯、トイレ、洗車などに注水して再利用する場合に、端末機器１６を利用する運転手段１７の信号を検出して運転制御手段２４は流路切換え手段１３を出水流路１４側にして圧縮機１を運転する。そして、浴槽１１から送られてきた残湯水を風呂熱交換器１０に流入させ、ここでヒートポンプ５による運転で吸熱して風呂熱交換器１０から流出させる。その際に、風呂熱交換器１０から流出する水温を温度検出手段２０が検出して、検出温度と温度設定手段２１の設定温度が一致するように運転制御手段２４は風呂ポンプ２３の流量を制御する。
【００２４】
そして、設定温度と同温度の浴槽残湯水を流路切換え手段１３から端末機器１６へ送水する。従って、風呂熱交換器１０出口から端末機器１６へ送水する湯温が設定温度と一致するため利便性が向上する。また、風呂ポンプを備えているため、端末機器を離れた場所で利用することができる。
【００２５】
（実施例４）
図４は本発明の実施例４のヒートポンプ式風呂給湯システムの構成図である。
【００２６】
図４において、実線矢印は流路切換え手段１３が出水流路１４側に切り換わった時の残湯水の流れ方向を表わし、破線は帰還流路１５側に切り換わった時の残湯水の流れ方向を表わす。２５は水量設定手段であり、出水流路１４を流れる積算水量を設定する。２６は水量積算手段であり、運転手段１７の信号を検出して出水流路１４を流れる水量を積算する。２７は運転制御手段であり、運転手段１７の信号を検出して流路切換え手段１３を出水流路１４側に切換え、その後、水量積算手段２６の積算水量が水量設定手段２５で設定された水量に達した時に流路切換え手段１３を出水流路１４側から帰還流路１５側へ切換える。
【００２７】
以上の構成において、その動作、作用について説明する。
【００２８】
浴槽残湯水を洗濯、トイレなどに再利用する場合に、端末機器１６を利用する運転手段１７の信号を検出して運転制御手段２７は流路切換え手段１３を出水流路１４側に切り換える。そして、出水流路１４を流れる水量を水量積算手段２６が積算し、水量設定手段２５で設定された積算水量に達した時に、運転制御手段２７は流路切換え手段１３を帰還流路１５側に切り換えて風呂熱交換器１０から流出した残湯水を浴槽に戻す。従って、再利用したい設定水量を自動で浴槽から取り出して再利用することができるため、利便性が向上する。
【００２９】
（実施例５）
図５は本発明の実施例５のヒートポンプ式風呂給湯システムの構成図である。
【００３０】
図５において、２８は水浄化手段であり、浴槽１１流出口と流路切換え手段１３間の風呂回路１０に設けて、浴槽残湯水を浄化する。
【００３１】
以上の構成において、その動作、作用について説明する。
【００３２】
浴槽残湯水を洗濯、トイレなどに利用する場合において、浴槽から流出した残湯水を水浄化手段２８に流入させて、ここで浄化されて残湯水の浮遊物などを除去し、流路切換え手段１３を通って端末機器１６へ送水する。従って、残湯水を浄化するため、洗濯のすすぎ、トイレの洗浄水など、用途と利便性が向上する。
【００３３】
また、水浄化手段２８を浴槽１１の流出口から風呂熱交換器１０の流入口の風呂回路に設ける場合には、上記効果に加え、浴槽１１の残湯水に髪の毛などの浮遊物が含まれている場合でも、風呂熱交換器１０に流入しないため、風呂熱交換器１０の流体流路が目詰まりをしたりすることもなく、また熱交換効率が確保されて信頼性が向上する。
【００３４】
以上説明した各実施例の作用効果をまとめれば以下次の通りである。
【００３５】
（１）凝縮器、減圧手段、熱回収熱交換器を順次接続したヒートポンプ回路と、凝縮器と熱交換関係を有する給湯熱交換器と給湯熱交換器の湯を貯湯する貯湯タンクからなる給湯回路と、熱回収熱交換器と熱交換関係を有する風呂熱交換器と浴槽からなる風呂回路と、風呂熱交換器出口と浴槽間の風呂回路に設けて風呂熱交換器出口から排水する出水流路と浴槽へ戻す帰還流路を切換える流路切換え手段と、出水流路と接続して浴槽残湯水を再利用する端末機器と、端末機器で浴槽残湯水を再利用する運転手段と、運転手段の信号を検出して流路切換え手段を出水流路側にして圧縮機の運転を開始する運転制御手段を備え、家族の入浴終了後あるいは翌朝に浴槽残湯水を利用して洗濯機などに注水して再利用する場合に、端末機器で浴槽残湯水を再利用する運転手段に基づき流路切換え手段を出水流路側に切換え、圧縮機の運転を開始して、浴槽から送られてきた残湯水の熱を熱回収熱交換器で集熱して、給湯熱交換器を介して貯湯タンクの水を加熱し、貯湯する。また、風呂熱交換器で集熱されて温度低下した残湯水を流路切換え手段の出水流路から端末機器へ送水する。従って、浴槽残湯熱を回収して貯湯タンクの水を加熱する一方で、吸熱された低温の残湯水を端末機器へ送水して残湯水を再利用するため、省エネ節水が実現できる。
【００３６】
（２）風呂熱交換器出口と浴槽間の水温を検出する温度検出手段と、端末機器で浴槽残湯水を再利用する水温を設定する温度設定手段と、運転手段の信号を検出して圧縮機の運転を開始し、温度検出手段の検出温度が温度設定手段の設定温度まで低下した時に流路切換え手段を帰還流路側から出水流路側に切換える運転制御手段を備え、家族の入浴終了後に浴槽残湯水を洗濯機などに注水して再利用する場合に、残湯湯温が再利用する水温より高温の場合には、残湯水の熱を吸熱してヒートポンプ回路による運転で貯湯タンクに湯をつくって省エネ化をはかり、運転経過とともに残湯水温が低下して再利用したい温度に達した場合に流路切換え手段を出水流路側に切換えて端末機器へ送水する。従って、再利用する温度に応じて高温の残湯水から低温の残湯水まで注水できるとともに、浴槽残湯熱を熱回収して貯湯タンクに湯をつくることができるためエネルギー利用の高効率化が実現できる。
【００３７】
（３）風呂回路の浴槽流出口と流路切換え手段間に設けた風呂ポンプと、運転手段の信号を検出して流路切換え手段を出水流路側にして圧縮機の運転を開始し、また、温度検出手段が温度設定手段と一致するように風呂ポンプの流量を制御する運転制御手段を備え、浴槽残湯水を洗濯、トイレ、洗車などに注水して再利用する場合に、風呂熱交換器出口から端末機器へ送水する湯温を設定温度と一致するように風呂ポンプの流量を制御して、設定温度と同温度の浴槽残湯水を流路切換え手段から端末機器へ送水する。従って、風呂熱交換器出口から端末機器１６へ送水する湯温が設定温度と一致するため利便性が向上する。また、風呂ポンプを備えているため、端末機器を離れた場所で利用することができる。
【００３８】
（４）出水流路を流れる積算水量を設定する水量設定手段と、運転手段の信号を検出して出水流路を流れる水量を積算する水量積算手段と、運転手段の信号を検出して流路切換え手段を出水流路側に切換え、その後、水量積算手段の積算水量が水量設定手段で設定された水量に達した時に流路切換え手段を出水流路側から帰還流路側へ切換える運転制御手段を備え、浴槽残湯水を洗濯、洗車などに再利用する場合に、出水流路を流れる積算水量が端末機器で必要とされる設定された積算水量に達した時に、流路切換え手段を帰還流路側に切り換えて風呂熱交換器から流出した残湯水を浴槽に戻す。従って、再利用したい設定水量を自動で浴槽から取り出して再利用することができる。
【００３９】
（５）浴槽流出口と流路切換え手段間の風呂回路に浴槽残湯水を浄化する水浄化手段を備え、浴槽から流出した残湯水を水浄化手段に流入させて、残湯水の浮遊物などを除去して流路切換え手段を通って端末機器へ送水する。従って、残湯水を浄化するため、洗濯のすすぎ、トイレの洗浄水など、用途と利便性が向上する。また、水浄化手段を浴槽の流出口から風呂熱交換器の流入口の風呂回路に設ける場合には、上記効果に加え、浴槽の残湯水に髪の毛などの浮遊物が含まれている場合でも、風呂熱交換器に流入しないため、風呂熱交換器の流体流路が目詰まりをしたりすることもなく、また熱交換効率が確保されて信頼性が向上する。
【００４０】
【発明の効果】
このように本発明のヒートポンプ式浴槽水利用システムによれば、浴槽残湯熱を回収して貯湯タンクの水を加熱する一方で、吸熱された低温の残湯水を端末機器へ送水して残湯水を再利用するため、省エネ節水が実現できるものである。
【図面の簡単な説明】
【図１】
本発明の実施例１のヒートポンプ式風呂給湯システムの構成図
【図２】
本発明の実施例２のヒートポンプ式風呂給湯システムの構成図
【図３】
本発明の実施例３のヒートポンプ式風呂給湯システムの構成図
【図４】
本発明の実施例４のヒートポンプ式風呂給湯システムの構成図
【図５】
本発明の実施例５のヒートポンプ式風呂給湯システムの構成図
【図６】
従来のヒートポンプシステムの構成図
【符号の説明】
１  圧縮機
２  凝縮器
３  減圧手段
４  熱回収熱交換器
５  ヒートポンプ回路
６  給湯熱交換器
７  貯湯タンク
８  給湯回路
９  給湯ポンプ
１０  風呂熱交換器
１１  浴槽
１２  風呂回路
１３  流路切換え手段
１４  出水流路
１５  帰還流路
１６  端末機器
１７  運転手段
１８  運転制御手段
１９  風呂ポンプ
２０  温度検出手段
２１  温度設定手段
２２  運転制御手段
２３  風呂ポンプ
２４  運転制御手段
２５  水量設定手段
２６  水量積算手段
２７  運転制御手段
２８  水浄化手段